(57)【特許請求の範囲】
【請求項１】
内部にダンボール等による回収容器を設置するために開放される扉と、上部から回収容器内に廃棄物を投入する投入口とを備えたキャビネット本体であって、
該キャビネット本体は、前記投入口の内側にて上下方向にスライド可能にすることで当該投入口を閉塞または開放可能とした投入口可動棚と、
該投入口可動棚を上方付勢する昇降駆動バネと、
該投入口可動棚から垂下され且つそれぞれの中央に係合孔を設けた第１係止片および第２係止片と、
前記キャビネット本体内に配設され、且つ前記昇降駆動バネの上方付勢に抗して下降した前記投入口可動棚を下方位置に保持可能とするよう前記第１係止片の係合孔に係合させる第１ラッチ、および、前記昇降駆動バネの上方付勢に任せて上昇した前記投入口可動棚を上方位置でロック可能とするよう前記第２係止片の下端を係止させる第２ラッチそれぞれを配してなる固定基板と、
前記回収容器を支えるようキャビネット本体の内底部に備えた下部スライド棚と、
前記第１ラッチ側にレリーズワイヤを介して繋がれた状態で前記下部スライド棚の近傍に配されたスイッチボタンと、を有し、
回収容器内に回収された廃棄物によって該回収容器が一定の荷重に達すると、下部スライド棚の下部に配した支持バネが圧縮されてスイッチボタンが押されることで前記レリーズワイヤを介して第１ラッチによる第１係止片の係止を解除し、前記昇降駆動バネの張力によって前記投入口可動棚を上方に引き上げ、投入口を投入口可動棚で閉塞して廃棄物の投入を不可能にすると同時に第２係止片の下端を第２ラッチによって係止させることで前記投入口可動棚を上方位置でロック可能とすることを特徴とする機密書類廃棄用キャビネット。
【請求項２】
第１ラッチは、前記キャビネット本体内に配設された固定基板において支点の廻りに揺動自在とし且つ一端に前記レリーズワイヤの牽引先端部分を接続してなる梃子ハンドルレバーの他端側に設けられた取っ手と前記支点との間に連結バーを介して接続されていることを特徴とする請求項１記載の機密書類廃棄用キャビネット。
【請求項３】
第２ラッチは、上昇した投入口可動棚の下降移動を阻止すべくロックし且つ解除スイッチの押圧によってロック解除可能としたことを特徴とする請求項１記載の機密書類廃棄用キャビネット。
【請求項４】
キャビネット本体の内壁には、縦長のアーム部と、該アーム部の長手方向に沿うように当該内壁に形成されたスライドガイド部と、投入口可動棚の下面に突設した脚部とを備え、前記スライドガイド部に前記脚部が係合されて投入口可動棚を上下方向にスライド可能とし、前記昇降駆動バネはアーム部の上端と脚部の下端との相互間に連繋配置されてなることを特徴とする請求項１乃至３のいずれか記載の機密書類廃棄用キャビネット。
【請求項５】
アーム部は、下方に設けたバネ調整用ボルトによって当該アーム部の上下位置を調整可能に配してなることを特徴とする請求項４記載の機密書類廃棄用キャビネット。
【請求項６】
前記キャビネット本体内に配設された固定基板の側壁には、複数の異なる高さ位置に突当部材を装着可能とした複数段の取付孔を設け、該取付孔への突当部材の取付高さ位置を変えることで、投入口可動棚が下降するストローク調整を可能にしたことを特徴とする請求項１乃至５のいずれか記載の機密書類廃棄用キャビネット。
【請求項７】
キャビネット本体内部から下部スライド棚が扉側前方に引き出せるよう当該下部スライド棚の前面側中央下部にスライド補助用コロを設け、下部スライド棚の前面に上下スライド固定式のコロ高さ調整部が設けられ、キャビネット本体の下面四隅に配したアジャスタの高さ調整にあわせて前記スライド補助用コロの高さを調整可能としたことを特徴とする請求項１乃至６のいずれか記載の機密書類廃棄用キャビネット。
【請求項８】
投入口可動棚の前面には、投入不可能である状態とのメッセージが布置されてなる指示部を備え、投入口可動棚が投入口を閉塞した際に当該指示部が露出するものとしたことを特徴とする請求項１乃至７のいずれか記載の機密書類廃棄用キャビネット。
【発明の詳細な説明】
【技術分野】
【０００１】
本発明は、例えばオフィス内で発生する機密書類・個人情報書類・記録媒体等を廃棄するに際し、これら廃棄物を安全で且つ手間を掛けずに回収できる循環型システムを可能にした機密書類廃棄用キャビネットに関する。
【背景技術】
【０００２】
近年、社会の要求により情報量が急激に増加しているのに伴い、機密書類・個人情報書類・記録媒体等の増加が一途をたどっている。使用済みとなったこれらの機密書類・個人情報書類・記録媒体等の廃棄物は、ダンボール箱に詰めて焼却処理されるか、あるいは分別されてリサイクルされるか、さらにはシュレッダー処理してから焼却もしくは埋め立て処理されるか等のいずれかの方法で処分されてきた。
【０００３】
また、従来においては、例えば特許文献１に開示されているように、機密情報や個人情報を記載した書類を含む紙類やそれらの情報が記録されたＣＤ等の記録媒体を回収するもので、特に投入された紙類または記録媒体が一定量以上になると、それ以上投入を不可能とするか、あるいは投入しないように警告を発するように工夫した回収容器なる技術が存在する。
【０００４】
すなわち、この回収容器は、紙類または記録媒体を投入する投入口と、前記投入口が設けられた面に平行に移動するシャッタと、袋状の回収容器に投入された紙類または記録媒体の蓄積に伴って発生する当該回収容器の内側にかかる力を前記シャッタに伝えるために、押し板・ロッド・クランク、またはバネ・スイッチ・電動モータ等によるシャッタ駆動部とを備え、前記回収容器の内側にかかる力を前記シャッタ駆動部が前記シャッタに伝えることにより、前記シャッタが移動して、前記投入口の一部または全部を塞ぐようにしたものである。
【０００５】
このように、特許文献１では、投入物で袋状の回収容器が横方向に膨らむ力を利用することによって、回収された書類あるいは記録媒体が多くなるのに伴い段階的にシャッタが投入口を塞ぐことになり、投入者に対して、それ以上の投入をさせないようにしている。
【０００６】
しかしながら、特許文献１に開示されている技術においては、押し板・ロッド・クランク、またはバネ・スイッチ・電動モータ等によりシャッタ駆動部を構成しているため、金具の使用量が増えてしまい、したがって複雑な構成とならざるを得ないものとなる。
【０００７】
また、投入物で袋状の回収容器が横方向に膨らむ力を利用することから、投入された廃棄物の回収量が正確に把握されないまま回収されてしまう虞がある。
【０００８】
そこで、特許文献２に開示されているように、回収容器内に回収された廃棄物によって該回収容器が一定の荷重に達すると、棚下のバネが圧縮されてスイッチボタンが押されることで、当該レリーズを介してシャッタを下方に引き込み、投入口をシャッタで完全に閉塞して投入不可能な状態となるようにした機密書類廃棄用キャビネットが提案された。
【０００９】
このシャッタには、投入可能である状態と投入不可能である状態とのメッセージがそれぞれ上下に並んで布置されてなる指示部を備え、該指示部に対応して扉の投入口下側には指示用窓部を備え、シャッタが上下いずれかの方向に移動した際に、両メッセージのいずれか一方が指示用窓部を通して交互に表示されるものとなっている。
【先行技術文献】
【特許文献】
【００１０】
【特許文献１】特許第３６８７６３０号公報
【特許文献２】特許第４８２３９７２号公報
【発明の概要】
【発明が解決しようとする課題】
【００１１】
しかしながら、特許文献２の場合においては、厚みのあるファイルや冊子、あるいは束ねられた記録用紙等の廃棄物を投入する場合には、投入口の縦幅が狭過ぎて投入することができない。これを解決すべく、投入口を広くしてしまうとシャッタによる十分な閉鎖が得られない。
【００１２】
すなわち、シャッタは、扉の内側に配設されたシャッタ取付板を介して上下方向にスライド可能となるよう薄板状に形成されている。具体的には、シャッタの左右両端側は、シャッタ取付板の左右両端の側板によって保持されており、またシャッタの左右両端部には上下対称位置に長孔が形成され、シャッタ取付板の四隅に突設したねじ等のガイド棒がこれら各長孔に挿入されて外側からナット等を介して保持されているものとなっている。
【００１３】
したがって、投入口が広いと、棚下のバネが圧縮されてスイッチボタンが押されることによる投入口の閉鎖方向へのシャッタ引き込み時のストロークが長くなり、レリーズによるシャッタの下方引き込み力が十分に伝達されず、各長孔におけるガイド棒のスライドがスムーズに行えなくなるという支障が生じる虞がある。
【００１４】
そこで、本発明は、叙上のような従来存した諸事情に鑑み案出されたもので、厚みのあるファイルや冊子、あるいは束ねられた記録用紙等の廃棄物を投入できるよう投入口の縦幅を広くした場合であっても、当該投入口を確実且つ強固に閉鎖することができ、しかも閉鎖後においては、投入口の閉鎖ロック状態を確実に維持することができるようにした機密書類廃棄用キャビネットを提供することを目的とする。
【課題を解決するための手段】
【００１５】
上述した課題を解決するために、本発明にあっては、内部にダンボール等による回収容器を設置するために開放される扉と、上部から回収容器内に廃棄物を投入する投入口とを備えたキャビネット本体であって、
該キャビネット本体は、前記投入口の内側にて上下方向にスライド可能にすることで当該投入口を閉塞または開放可能とした投入口可動棚と、
該投入口可動棚を上方付勢する昇降駆動バネと、
該投入口可動棚から垂下され且つそれぞれの中央に係合孔を設けた第１係止片および第２係止片と、
前記キャビネット本体内に配設され、且つ前記昇降駆動バネの上方付勢に抗して下降した前記投入口可動棚を下方位置に保持可能とするよう前記第１係止片の係合孔に係合させる第１ラッチ、および、前記昇降駆動バネの上方付勢に任せて上昇した前記投入口可動棚を上方位置でロック可能とするよう前記第２係止片の下端を係止させる第２ラッチそれぞれを配してなる固定基板と、
前記回収容器を支えるようキャビネット本体の内底部に備えた下部スライド棚と、
前記第１ラッチ側にレリーズワイヤを介して繋がれた状態で前記下部スライド棚の近傍に配されたスイッチボタンと、を有し、
回収容器内に回収された廃棄物によって該回収容器が一定の荷重に達すると、下部スライド棚の下部に配した支持バネが圧縮されてスイッチボタンが押されることで前記レリーズワイヤを介して第１ラッチによる第１係止片の係止を解除し、前記昇降駆動バネの張力によって前記投入口可動棚を上方に引き上げ、投入口を投入口可動棚で完全に閉塞して廃棄物の投入を不可能にすると同時に第２係止片の下端を第２ラッチによって係止させることで前記投入口可動棚を上方位置でロック可能とすることを特徴とする。
【００１６】
第１ラッチは、前記キャビネット本体内に配設された固定基板において支点の廻りに揺動自在とし且つ一端に前記レリーズワイヤの牽引先端部分を接続してなる梃子ハンドルレバーの他端側に設けられた取っ手と前記支点との間に連結バーを介して接続されていることを特徴とする。
【００１７】
第２ラッチは、上昇した投入口可動棚の下降移動を阻止すべくロックし且つ解除スイッチの押圧によってロック解除可能としたことを特徴とする。
【００１８】
キャビネット本体の内壁には、縦長のアーム部と、該アーム部の長手方向に沿うように当該内壁に形成されたスライドガイド部と、投入口可動棚の下面に突設した脚部とを備え、前記スライドガイド部に前記脚部が係合されて投入口可動棚を上下方向にスライド可能とし、前記昇降駆動バネはアーム部の上端と脚部の下端との相互間に連繋配置されてなることを特徴とする。
【００１９】
アーム部は、下方に設けたバネ調整用ボルトによって当該アーム部の上下位置を調整可能に配してなることを特徴とする。
【００２０】
前記キャビネット本体内に配設された固定基板の側壁には、複数の異なる高さ位置に突当部材を装着可能とした複数段の取付孔を設け、該取付孔への突当部材の取付高さ位置を変えることで、投入口可動棚が下降するストローク調整を可能にしたことを特徴とする。
【００２１】
キャビネット本体内部から下部スライド棚が扉側前方に引き出せるよう当該下部スライド棚の前面側中央下部にスライド補助用コロを設け、下部スライド棚の前面に上下スライド固定式のコロ高さ調整部が設けられ、キャビネット本体の下面四隅に配したアジャスタの高さ調整にあわせて前記スライド補助用コロの高さを調整可能としたことを特徴とする。
【００２２】
投入口可動棚の前面には、投入不可能である状態とのメッセージが布置されてなる指示部を備え、投入口可動棚が投入口を閉塞した際に当該指示部が露出するものとしたことを特徴とする。
【発明の効果】
【００２３】
本発明によれば、オフィス内で発生する機密書類・個人情報書類・記録媒体等の他に厚みのあるファイルや冊子等の廃棄物を投入できるよう投入口の縦幅を広くした場合であっても、当該投入口を確実且つ強固に閉鎖することができ、しかも閉鎖後においては、このような縦幅の広い投入口の閉鎖ロック状態を確実に維持することができる。
【００２４】
すなわち、キャビネット本体は、前記投入口の内側にて上下方向にスライド可能にすることで当該投入口を閉塞または開放可能とした投入口可動棚と、
該投入口可動棚を上方付勢する昇降駆動バネと、
該投入口可動棚から垂下され且つそれぞれの中央に係合孔を設けた第１係止片および第２係止片と、
前記キャビネット本体内に配設され、且つ前記昇降駆動バネの上方付勢に抗して下降した前記投入口可動棚を下方位置に保持可能とするよう前記第１係止片の係合孔に係合させる第１ラッチ、および、前記昇降駆動バネの上方付勢に任せて上昇した前記投入口可動棚を上方位置でロック可能とするよう前記第２係止片の下端を係止させる第２ラッチそれぞれを配してなる固定基板と、
前記回収容器を支えるようキャビネット本体の内底部に備えた下部スライド棚と、
前記第１ラッチ側にレリーズワイヤを介して繋がれた状態で前記下部スライド棚の近傍に配されたスイッチボタンと、を有し、
回収容器内に回収された廃棄物によって該回収容器が一定の荷重に達すると、下部スライド棚の下部に配した支持バネが圧縮されてスイッチボタンが押されることで前記レリーズワイヤを介して第１ラッチによる第１係止片の係止を解除し、前記昇降駆動バネの張力によって前記投入口可動棚を上方に引き上げ、投入口を投入口可動棚で完全に閉塞して廃棄物の投入を不可能にすると同時に第２係止片の下端を第２ラッチによって係止させることで前記投入口可動棚を上方位置でロック可能となるようにしたので、
厚みのあるファイルや冊子等の廃棄物を投入することができるよう投入口の縦幅を広くした場合でも、投入口可動棚自体は昇降駆動バネにより上方付勢されていることから、回収容器が一定の荷重である例えば約３０ｋｇ程度に達して下部スライド棚下部のスイッチボタンが押されることでレリーズワイヤを介して第１ラッチによる第１係止片の係止が解除された際には、当該投入口可動棚でもって投入口を確実且つ強固に閉鎖することができる。しかもこの閉鎖状態においては、第２係止片の下端が第２ラッチによって係止されることで投入口可動棚は上方位置でロックされるため、このような縦幅の広い投入口の閉鎖ロック状態を確実に維持することができ、廃棄物に対する機密性および安全性が共に完全なものとなる。
【００２５】
第１ラッチは、前記キャビネット本体内に配設された固定基板において支点の廻りに揺動自在とし且つ一端に前記レリーズワイヤの牽引先端部分を接続してなる梃子ハンドルレバーの他端側に設けられた取っ手と前記支点との間に連結バーを介して接続されているので、レリーズワイヤを介しての第１ラッチによる第１係止片の係止解除、および取っ手の手動操作を介しての第１係止片の係合孔への第１ラッチの係合がスムーズに行える。
【００２６】
第２ラッチは、上昇した投入口可動棚の下降移動を阻止すべくロックし且つ解除スイッチの押圧によってロック解除可能としたので、第２係止片下端の第２ラッチによる係止およびその解除が容易に行える。
【００２７】
キャビネット本体の内壁には、下方に設けたバネ調整用ボルトによって上下位置を調整可能に配してなる縦長のアーム部と、該アーム部の長手方向に沿うように当該内壁に形成されたスライドガイド部と、投入口可動棚の下面に突設した脚部とを備え、前記スライドガイド部に前記脚部が係合されて投入口可動棚を上下方向にスライド可能とし、前記昇降駆動バネはアーム部の上端と脚部の下端との相互間に連繋配置されてなるので、投入口の縦幅を広くした場合でも、該投入口は昇降駆動バネの張力により投入口可動棚でもって確実に閉鎖させることができる。
【００２８】
アーム部は、下方に設けたバネ調整用ボルトによって当該アーム部の上下位置を調整可能に配してなるので、バネ調整用ボルトを回すことで、投入口可動棚の閉まるスピード（昇降駆動バネの引っ張り強さ）が容易に調節できる。例えば、バネ調整用ボルトを緩める方向に回すことで、アーム部の上端と脚部の下端との相互間隔が大きくなり、これによって投入口可動棚の閉まるスピードが速くなる（昇降駆動バネの引っ張りが強まる）。一方、バネ調整用ボルトを締める方向に回すことで、アーム部の上端と脚部の下端との相互間隔が小さくなり、これによって投入口可動棚の閉まるスピードが遅くなる（昇降駆動バネの引っ張り力が弱まる）。
【００２９】
前記キャビネット本体内に配設された固定基板の側壁には、複数の異なる高さ位置に突当部材を装着可能とした複数段の取付孔を設け、該取付孔への突当部材の取付高さ位置を変えることで、投入口可動棚が下降するストローク調整を可能にしたので、投入口内側における天板と投入口可動棚との間のスペースすなわち投入口の開口寸法（廃棄物の投入通路の縦幅）を自由に変えることができ、これによってオフィス内で発生する厚みの小さい機密書類・個人情報書類・記録媒体等はもとより、厚みの大きいファイルや冊子等の廃棄物であっても極めて容易に投入廃棄することができる。
【００３０】
キャビネット本体内部から下部スライド棚が扉側前方に引き出せるよう当該下部スライド棚の前面側中央下部にスライド補助用コロを設け、下部スライド棚の前面に上下スライド固定式のコロ高さ調整部が設けられ、キャビネット本体の下面四隅に配したアジャスタの高さ調整にあわせて前記スライド補助用コロの高さを調整可能としたので、キャビネット本体内部から下部スライド棚が扉側前方に傾くことなく常時水平を保ちながら容易に引き出すことができ、下部スライド棚上への回収容器の設置または回収作業がスムーズに行える。
【００３１】
投入口可動棚の前面には、投入不可能である状態とのメッセージが布置されてなる指示部を備え、投入口可動棚が投入口を閉塞した際に当該指示部が露出するものとしたので、廃棄物が回収容器内に蓄積されて満杯になったことを確実且つ容易に確認することができ、廃棄物の回収作業がスムーズに行えるものとなる。
【図面の簡単な説明】
【００３２】
【図１】本発明を実施するための最良の形態におけるキャビネット本体の斜視図である。
【図２】同じく扉を開放した状態を示すキャビネット本体の斜視図である。
【図３】同じく扉を開放して下部スライド棚を手前に引き出した状態を示すキャビネット本体の斜視図である。
【図４】同じく扉を開放して下部スライド棚を手前に引き出した後に回収容器を下部スライド棚上に収容した状態を示すキャビネット本体の斜視図である。
【図５】同じく扉を開放して回収容器を下部スライド棚上に収容した後に下部スライド棚をキャビネット本体内部に押し込んだ状態を示すキャビネット本体の斜視図である。
【図６】同じく扉を開放して下部スライド棚をキャビネット本体内部に押し込んだ後に可動式斜め補強材をセットした状態を示すキャビネット本体の斜視図である。
【図７】同じく投入口可動棚の位置する左側部分を一部切欠したキャビネット本体の斜視図である。
【図８】同じく図７において左側のバネ調整用ボルトを覆うカバー、固定基板それぞれを取り外した状態を示すキャビネット本体の斜視図である。
【図９】同じく図８の一部切欠部分を拡大した状態の斜視図である。
【図１０】同じく投入口可動棚の位置する右側のバネ調整用ボルトを覆うカバーを取り外した状態を斜下方から視た場合の拡大された斜視図である。
【図１１】同じく左側のバネ調整用ボルトを覆うカバー、固定基板それぞれを組み付けた状態を斜下方から視た場合の拡大された一部切欠の斜視図である。
【図１２】同じく突当部材による投入口可動棚のストローク規制を説明するもので、投入口可動棚が投入口を閉鎖した状態を斜上方から視た場合の拡大された一部切欠の斜視図である。
【図１３】同じく投入口可動棚が上昇して投入口を閉鎖した状態を斜上方から視た場合の拡大された斜視図である。
【図１４】同じく突当部材による投入口可動棚のストローク規制を説明するもので、投入口可動棚が下降して投入口を開放した状態を斜上方から視た場合の拡大された一部切欠の斜視図である。
【図１５】同じく投入口可動棚が下降して投入口を開放した状態を斜上方から視た場合の拡大された斜視図である。
【図１６】同じくキャビネット本体の扉を開放して内底部における下部スライド棚を底板と共に開放した状態の斜視図である。
【図１７】同じく下部スライド棚を底板と共に内底部側に倒した状態を一部想像線で示す拡大された斜視図である。
【図１８】同じく固定基板上に配された梃子ハンドルレバー、第１ラッチ、第２ラッチ周辺の平面図である。
【図１９】同じく投入口可動棚の下方位置において第１係止片が第１ラッチによって係合されている状態を示す一部切欠の斜視図である。
【図２０】同じく投入口可動棚の上方位置において第２係止片が第２ラッチによって係止されている状態を示す一部切欠の斜視図である。
【発明を実施するための形態】
【００３３】
以下、図面を参照して本発明に係る機密書類廃棄用キャビネットの実施の一形態を図１乃至図６に基づき詳細に説明する。先ず、本発明に係る機密書類廃棄用キャビネットを構成するキャビネット本体１の使用時における全体構成について説明する。
【００３４】
本発明に係る機密書類廃棄用キャビネットを構成するキャビネット本体１は、図１および図２に示すように、外装部分が約１ｍｍ程度の厚みを有する鋼板を使用した縦長のボックス構造によって形成され、前面には内部にダンボール等による回収容器Ｑを設置するために開放される片開きになる扉２を有している。この扉２は、コインロッカートリガー金具３によって施解錠が可能となっている。また、キャビネット本体１の底部５ｄの下面四隅には転倒防止のためのアジャスタ４を装備している。さらに、キャビネット本体１の左側面５ｂおよび右側面５ｃの各中央には当該キャビネット本体１を手でもって運搬するための取っ手７が設けられ、左右両側面５ｂ、５ｃの前後対称位置には複数のキャビネット本体１を不図示のボルトを介して横並び状に連結するための上下一対となった連結用穴８が設けられている。
【００３５】
図１乃至図６に示すように、キャビネット本体１の天板部５ａには、斜め前方に向けて横長開口状の投入口６が設けられ、該投入口６の内側には、上下方向にスライド可能にすることで当該投入口６を閉塞または開放可能とした投入口可動棚１１が設けられている。この投入口可動棚１１の前面には、投入不可能である状態とのメッセージ（例えば「ＦＵＬＬ」の文字を印刷した貼着シート）が布置されてなる指示部１２を備えており、投入口可動棚１１が投入口６を閉塞した際に当該指示部１２が投入口６から視ることができるようにしてある。なお、図１乃至図６においては、投入口可動棚１１が最上位に上がっているロック状態であり、キャビネット本体１の内部からロックを外さない限り動かないものとなっている。このロック構造については後述する。
【００３６】
図２乃至図６に示すように、キャビネット本体１の底部５ｄの上面には、回収容器Ｑを支えるために、コロ高さ調整部５２付きのスライド補助用コロ５３によって前方に引き出し可能とした下部スライド棚５１が設けられている。この下部スライド棚５１の構成については後述する。
【００３７】
キャビネット本体１の左右両側面５ｂ、５ｃおよび背面部５ｅの各内面には左側ホルダ片９ａ（図４乃至図９、図１１、図１２、図１４、図１９、図２０参照）、右側ホルダ片９ｂ（図１０参照）、背面側ホルダ片９ｃ（図８参照）それぞれが設けられている。そして、左側ホルダ片９ａ、右側ホルダ片９ｂそれぞれに回収容器Ｑであるダンボールの上部開口した左右フラップＦ１、Ｆ２がそれぞれ差し込まれるようにしてある（図４、図５、図６参照）。また、背面側ホルダ片９ｃには回収容器Ｑであるダンボールの上部開口した背面フラップ（図示省略）が下方から差し込まれるようにしてある。
【００３８】
図６に示すように、キャビネット本体１内の下部スライド棚５１上に回収容器Ｑをセットして扉２を閉める前には、下部スライド棚５１の前側開口部の左右縁部相互間に襷がけ状に可動式斜め補強材１０をセットすることで回収容器Ｑが下部スライド棚５１から不用意に離脱されないよう保持すべくなしてある。
【００３９】
次に、キャビネット本体１の投入口可動棚１１を駆動制御するための各部機構の具体的構成について説明する。
【００４０】
（投入口可動棚１１の昇降スライド機構）
図１１、図１２、図１４、図１５に示すように、キャビネット本体１の投入口６に対応した内部前方側には、投入口可動棚１１の昇降スライドをメカ的に駆動制御するための固定基板２１（ブラケット）が配設されており、その左右両端側には、前後一対の縦長のガイド長孔２３ａ、２３ｂを穿設した側壁面部２２ａ、２２ａが備えられている。なお、左右両側壁面部２２ａ、２２ａ（この右側壁面部２２ａは不図示）には同一機構による昇降スライド機構が設けられているが、これら左右の昇降スライド機構は共に同じ動作を行うため、以下においては左側の壁面部２２ａの昇降スライド機構のみについて説明する。
【００４１】
図１２に示すように、投入口可動棚１１は略コの字枠状に形成されており、その中央には前後一対の横向きとなった係合突起１３ａ、１３ｂを有する矩形板状のスライダ部１３が垂下突設されている。そして、このスライダ部１３の前側の係合突起１３ａは前側のガイド長孔２３ｂに係合され、後側の係合突起１３ｂは後側のガイド長孔２３ａに係合されていることで、投入口可動棚１１自身はガイド長孔２３ａ、２３ｂに沿って昇降スライド可能となっている。また、投入口可動棚１１の昇降スライドをスムーズに行うために、投入口可動棚１１の前側内壁の端部および上側内壁の端部には回動可能なローラ１４が設けられ、これらローラ１４は壁面部２２ａに摺接されている。なお、前記天板部５ａにおいて投入口６の後方側縁部には略Ｌ字状のストッパ片５ｆが下方に向けて形成され、前記天板部５ａ内壁の略中央には斜向状のストッパ片５ｇが下方に向けて形成されている。これらストッパ片５ｆ、５ｇは、投入口可動棚１１が最上位まで上昇した際に投入口６から必要以上に突出さないようにこれを係止させるためのものである（図１３参照）。
【００４２】
（投入口可動棚１１の上方付勢機構）
図７に示すように、キャビネット本体１の左右両側面５ｂ、５ｃの内壁には、当該内壁に設けられた投入口可動棚１１の上方付勢機構を塞ぐようにカバー３１が取り付けられている。このカバー３１は、後述するバネ調整用ボルトを調節する際に取り外されるものとなっている。
【００４３】
図８、図９、図１０に示すように、キャビネット本体１の左右両側面５ｂ、５ｃの内壁前端側には、互いに内方に向けて相対向させた縦長のフレーム３２が付設され、このフレーム３２の相対向する側面には縦長溝条のスライドガイド部３３が形成されている。このスライドガイド部３３には、投入口可動棚１１の下面に突設したスライダ部３５が係合されて当該投入口可動棚１１を上下方向にスライド可能としてある。また、このスライダ部３５の外面には縦長の脚部３６が取り付けられている。すなわち、この脚部３６一端の長手方向に対して横向き直角方向に９０°曲げられたベース部３６ａがスライダ部３５にネジ止め固定され、脚部３６他端の長手方向に沿って縦向き直角方向に９０°曲げられた支持部３６ｂ（Ｌ字型の下側）に回転ローラ１５が付設され、該ローラ１５はキャビネット本体１の左側面５ｂに摺接している。
【００４４】
また、フレーム３２のスライドガイド部３３に隣接するよう当該フレーム３２の前側面には縦長のアーム部３４が上下スライド自在に取り付けられている。このアーム部３４の長手方向中央には長孔状のガイド孔３４ａが形成され、フレーム３２の前側面に突設したガイド突起（図示せず）が係合されていることで、アーム部３４自体はフレーム３２に沿って上下方向にスライドできるようにしてある。また、投入口可動棚１１を上方付勢するためのコイル状の昇降駆動バネ３７が、アーム部３４上端のＬ字屈曲部３４ｄと脚部３６下端の支持部３６ｂとの相互間に連繋配置されている。
【００４５】
（投入口可動棚１１のスピード調整機構）
投入口可動棚１１のスピード調整が行えるよう、アーム部３４のフレーム３２に沿った下方にはバネ調整用ボルト３８を設けることによってアーム部３４の上下位置を調整可能としてある。すなわち、このアーム部３４の下端は長手方向に対して横向き直角方向に９０°曲げられてフレーム３２の相対向する側面に当接し、さらにその下端が縦向き直角方向に９０°曲げられて移動側フランジ部３４ｂとなっている。この移動側フランジ部３４ｂに対向すべく当該移動側フランジ部３４ｂの下方におけるフレーム３２には固定側フランジ部３４ｃが取付けられ、上記移動側フランジ部３４ｂと固定側フランジ部３４ｃとの相互間にねじ込ませたバネ調整用ボルト３８の緩み方向または締め方向の捻回によって移動側フランジ部３４ｂの上下位置が調整されるものとしてある。
【００４６】
投入口可動棚１１のスピード調整に際し、左右のカバー３１を取り外し、バネ調整用ボルト３８を回すことで、投入口可動棚１１の閉まるスピード（昇降駆動バネ３７の引っ張り強さ）が調節される。この場合、バネ調整用ボルト３８を緩める方向に回すことで、投入口可動棚１１の閉まるスピードが速くなる（昇降駆動バネ３７の引っ張りが強まる）。一方、バネ調整用ボルト３８を締める方向に回すことで、投入口可動棚の閉まるスピードが遅くなる（昇降駆動バネ３７の引っ張り力が弱まる）。
【００４７】
（投入口可動棚１１のストローク規制機構）
図１２に示すように、固定基板２１（ブラケット）の左右側壁面部２２ａ、２２ａには、前記ガイド長孔２３ａ、２３ｂと並行して上段から下段にかけて例えば４つの取付孔２４ａ、２４ｂ、２４ｃ、２４ｄが設けられ、この取付孔２４ａ、２４ｂ、２４ｃ、２４ｄの異なる高さ位置にゴム状の突当部材２５を蝶ネジ等で装着可能としてある。
【００４８】
図１４に示すように、投入口可動棚１１の下面縁側にはストッパ片２６が内向きに突出されており、投入口可動棚１１が下降した際には、ストッパ片２６が左右側壁面部２２ａ、２２ａの突当部材２５に突き当たって係止されるものとしてある。
【００４９】
こうして取付孔２４ａ、２４ｂ、２４ｃ、２４ｄへの突当部材２５の取付高さ位置を変えることで、投入口可動棚１１が下降するストローク調整を可能にしている。例えば、一段目の取付孔２４ｄに突当部材２５が装着されている場合、投入口６の開口寸法は３０ｍｍ〜３０ｍｍ（ストローク可能な寸法：０ｍｍ）となる。また、二段目の取付孔２４ｃに突当部材２５が装着されている場合、投入口６の開口寸法は３０ｍｍ〜５０ｍｍ（ストローク可能な寸法：２０ｍｍ）となる。また、三段目の取付孔２４ｂに突当部材２５が装着されている場合、投入口６の開口寸法は３０ｍｍ〜６５ｍｍ（ストローク可能な寸法：３５ｍｍ）となる。また、四段目の取付孔２４ａに突当部材２５が装着されている場合、投入口６の開口寸法は３０ｍｍ〜８０ｍｍ（ストローク可能な寸法：５０ｍｍ）となる。
【００５０】
（下部スライド棚の高さ調整機構）
図２、図３、図１６、図１７に示すように、下部スライド棚５１は、キャビネット本体１の底部５ｄに対し後側の水平ロッド状のヒンジ部５４を介して揺動可能となっており、下部スライド棚５１を前側から引き上げることで底部５ｄが開放されるようにしてある。また、下部スライド棚５１は、底部５ｄの前側に配された後述するスイッチボタン５８を押圧するための下側の底板５５と、回収容器Ｑを支えるための上側の受板５６とによって構成され、受板５６は底板５５に対し前方側に向けてスライド自在としてある。すなわち、底板５５の中央には前後方向に向けて長孔状のガイド孔５５ａが形成され、受板５６下面の略中間から後部にかけて突設された複数のガイド突起５６ａが係合し、さらに受板５６下面の左右両側には底板５５上に摺接する前後一対のコロ５６ｂが各設けられていることで、受板５６はガイド孔５５ａに沿って前方へ引き出せるようになっている。
【００５１】
この下部スライド棚５１の前面には二箇所ビス止め式のコロ高さ調整部５２が設けられ、該コロ高さ調整部５２に対応して下部スライド棚５１の前面側中央下部にはスライド補助用コロ５３がキャビネット本体１の底部５ｄの前方側が切欠状となった隙間から下方に突き出すように取り付けられている。そして、キャビネット本体１の下面四隅に設けられたアジャスタ４の高さ調整にあわせて、コロ高さ調整部５２によりスライド補助用コロ５３の高さが調整され、これにより引き出された下部スライド棚５１が上下方向にガタ付かないようにしてある。
【００５２】
底部５ｄ前側の左右対称位置には、コイル状の支持バネ５７の一端が固着され、支持バネ５７の他端は上方に向けてフリーな状態となって受板５６下面に当接されるようになっている。また、底部５ｄ前側の縁部側上面には上方に向けてスイッチボタン５８が配されており、回収容器Ｑ内に回収された廃棄物によって該回収容器Ｑが一定の荷重に達すると、下部スライド棚５１の下部に配した支持バネ５７が圧縮されてスイッチボタン５８が押されるものとなっている。このスイッチボタン５８は、図１７の楕円で囲まれている断面図に示すように、ケーシング５９に対しバネ６０を介して内装されている太い棒状のスライドストッパ６１の一端に固着されている。スライドストッパ６１がバネ６０を圧縮するとスイッチボタン５８の一端側６２がスライドストッパ６１下部の溝６３には嵌り込んで係止されるものとしてある。
【００５３】
そして、スイッチボタン５８が押圧されると、スライドストッパ６１の溝６３からスイッチボタン５８の一端側６２が外れ、バネ６０の弾発力でスライドストッパ６１が当該スライドストッパ６１に繋がれているレリーズワイヤ６４（レリーズのスライドワイヤ６４ａ）が引き込ませられるようにしてある。なお、レリーズワイヤ６４は、スライドワイヤ６４ａがスライド分の余裕を有する状態でチューブ状の外皮に挿入されたものである。なお、図１７に示す符号６６は、レリーズワイヤ６４を固定基板２１側へ通すための開口部である。
【００５４】
（投入口可動棚１１のロック機構およびロック解除機構）
図１８に示すように、固定基板２１（ブラケット）の上面には、支点Ｏの廻りに揺動自在とした梃子ハンドルレバー４１が設けられている。この梃子ハンドルレバー４１の一端４２には、前記レリーズワイヤ６４の牽引されるスライドワイヤ６４ａの先端が接続され、梃子ハンドルレバー４１の他端側には取っ手４３が形成されている。この取っ手４３の揺動範囲に対応すべく固定基板２１には開口部４４が形成され、キャビネット本体1内の下側から開口部４４を通じて取っ手４３を手で操作できるようにしている。
【００５５】
また、この取っ手４３と前記支点Ｏとの間には、下降した投入口可動棚１１を下方位置に保持させておくための第１ラッチ４６が連結バー４５を介して接続されている。この連結バー４５は、前後端が開口しているケーシング４７に対しバネ４８を介して内装されている第１ラッチ４６の基端側に固着されており、スライドワイヤ６４ａが牽引されると梃子ハンドルレバー４１が支点Ｏの廻りに反時計方向に揺動し、バネ４８を圧縮しながら第１ラッチ４６をケーシング４７内に後退させるものとしてある。第１ラッチ４６を突出位置に復帰させる場合には、開口部４４を通じて取っ手４３を手で操作し、梃子ハンドルレバー４１を支点Ｏの廻りに時計方向に揺動させることで、連結バー４５を介して第１ラッチ４６がケーシング４７内から前方へ向けて突出されるものとなっている。
【００５６】
ケーシング４７の隣設した位置には、上昇した投入口可動棚１１の下降移動を阻止するための第２ラッチ７２のロックを解除させる解除スイッチ７１が設けられている。この解除スイッチ７１は、図１９の楕円で囲まれている断面図に示すように、ケーシング７３にバネ７４を介して内装されている第２ラッチ７２の上面側から傾斜状に窪ませた係合凹部７５に対し、当該解除スイッチ７１下端に形成された横向きの係止バー７６が係合することで構成されている。この解除スイッチ７１を矢印Ａ方向に押圧することで当該係止バー７６によって係合凹部７５の傾斜面が押され、第２ラッチ７２はバネ７４を圧縮させながらケーシング７３内に向けて矢印Ｂ方向に後退する。
【００５７】
図１９、図２０に示すように、投入口可動棚１１の下面略中央の左側には、前記第１ラッチ４６に対応すべく、中央に第１スライド係合孔８２を設けた第１係止片８１が垂下形成されている。また、投入口可動棚１１の下面略中央の右側には、前記第２ラッチ７２に対応すべく、中央に第２スライド係合孔８４を設けた第２係止片８３が垂下形成されている。第１ラッチ４６は、先端が斜上方に向けられた上向き傾斜面となっており、第１ラッチ４６の下側水平面に第１係止片８１の第１スライド係合孔８２の下側内縁部が係架されるものとなっている。一方、第２ラッチ７２は、先端が斜下方に向けられた下向き傾斜面となっており、第２ラッチ７２の上側水平面に第２係止片８３の下端が係止されるものとなっている。なお、図１８、図１９の符号８５は、下降する第２ラッチ７２を通過させるために固定基板２１に穿設された開口部である。
【００５８】
すなわち、図１９に示すように、第１ラッチ４６は、前記昇降駆動バネ３７の上方付勢に抗して下降した投入口可動棚１１を下方位置に保持可能とするよう第１係止片８１の第１スライド係合孔８２に係合させるものである。一方、図２０に示すように、第２ラッチ７２は、前記昇降駆動バネ３７の上方付勢に任せて上昇した投入口可動棚１１を上方位置で押し下げ不可能の状態にロック可能とするよう第２係止片８３の下端を係止させるものである。
【００５９】
次に、以上のように構成された形態についての使用・動作の一例について説明する。なお、投入口可動棚１１が最上位に上がって投入口６を閉鎖し且つ投入口可動棚１１が最上位にてロック状態にある時点から説明する。このとき、廃棄物で満杯となった回収容器Ｑは下部スライド棚５１から取り外されて所定の場所に回収されているものとする。
【００６０】
先ず、扉２を開放し、回収容器Ｑである空のダンボールを下部スライド棚５１上にセットする。このとき、左側ホルダ片９ａ、右側ホルダ片９ｂ（図１０参照）それぞれに回収容器Ｑであるダンボールの上部開口した左右フラップＦ１、Ｆ２がそれぞれ差し込まれ（図４、図５、図６参照）、さらに背面側ホルダ片９ｃ（図８参照）には回収容器Ｑであるダンボールの上部開口した背面フラップ（図示省略）が下方から差し込まれる。その後、可動式斜め補強材１０を取り付けて回収容器Ｑを保持する。
【００６１】
投入口可動棚１１を下方向に復帰移動させる。すなわち、解除スイッチ７１を図１９の矢印Ａ方向に手で押圧し第２ラッチ７２を矢印Ｂ方向に後退させた状態で投入口可動棚１１を下方向に押す。そして、梃子ハンドルレバー４１を手前（扉２側）に引くと、当該梃子ハンドルレバー４１は支点Ｏの廻りに平面視時計方向に揺動し、第１ラッチ４６を第１係止片８１の第１スライド係合孔８２に係架させる。このとき第２係止片８３の第２スライド係合孔８４は第２ラッチ７２と対向位置にあるため、解除スイッチ７１の押圧が解除されている場合においては第２スライド係合孔８４に第２ラッチ７２が係合した状態となる。
【００６２】
こうして投入口６は開放された状態となり、当該投入口６から廃棄物が投入される。回収容器Ｑ内に回収された廃棄物によって該回収容器Ｑが一定の荷重、例えば３０ｋｇ程度に達すると、下部スライド棚５１の下部に配した支持バネ５７が圧縮されてスイッチボタン５８が押される。こうすることで前記レリーズワイヤ６４を介して第１ラッチ４６による第１係止片８１の係止が解除され、昇降駆動バネ３７の張力によって投入口可動棚１１は上方に引き上げられる。投入口６は投入口可動棚１１で完全に閉塞され、廃棄物の投入を不可能にする。このとき投入不可能である状態とのメッセージ（例えば「ＦＵＬＬ」）が布置されてなる指示部１２がキャビネット本体１の表面に露出する。
【００６３】
これと同時に第２係止片８３の下端を第２ラッチ７２の上側水平面によって係止し、投入口可動棚１１は上方位置を維持したままロックされる。こうして投入口可動棚１１が最上位に上がっている場合は、当該投入口可動棚１１はロックされた状態が維持され、キャビネット本体１の内部から解除スイッチ７１によってロック解除しない限り投入口可動棚１１は動かない。而して、下部スライド棚５１に例えば約３０ｋｇ以上の荷重が掛かった際に連動して投入口可動棚１１が投入不可状態となる。
【００６４】
その後、扉２を開放し、可動式斜め補強材１０を取り外してから、下部スライド棚５１を手前に引き出し、廃棄物で満たされた回収容器Ｑであるダンボールを下部スライド棚５１上から取り出し当該廃棄物は所定の場所に回収処分される。そして、上記と同様にして回収容器Ｑである空のダンボールを下部スライド棚５１上にセットした後、投入口可動棚１１を下方向に復帰移動させる。
【符号の説明】
【００６５】
Ｑ                              回収容器
Ｏ                              支点
Ｆ１、Ｆ２                      フラップ
１                              キャビネット本体
２                              扉
３                              コインロッカートリガー金具
４                              アジャスタ
５ａ                            天板部
５ｂ                            左側面
５ｃ                            右側面
５ｄ                            底部
５ｅ                            背面
５ｆ、５ｇ                      ストッパ片
６                              投入口
７                              取っ手
８                              連結用孔
９ａ                            左側ホルダー片
９ｂ                            右側ホルダー片
９ｃ                            背面側ホルダー片
１０                            可動式斜め補強材
１１                            投入口可動棚
１２                            指示部
１３                            スライダ部
１３ａ、１３ｂ                  係合突起
１４、１５                      ローラ
２１                            固定基板
２２ａ                          側壁面部
２３ａ、２３ｂ                  ガイド長孔
２４ａ、２４ｂ、２４ｃ、２４ｄ  取付孔
２５                            突当部材
２６                            ストッパ片
３１                            カバー
３２                            フレーム
３３                            スライドガイド部
３４                            アーム部
３４ａ                          ガイド孔
３４ｂ、３４ｃ                  フランジ部
３４ｄ                          Ｌ字屈曲部
３５                            スライダ部
３６                            脚部
３６ａ                          ベース部
３６ｂ                          支持部
３７                            昇降駆動バネ
３８                            バネ調整用ボルト
４１                            梃子ハンドルレバー
４３                            取っ手
４４                            開口部
４５                            連結バー
４６                            第１ラッチ
４７                            ケーシング
４８                            バネ
５１                            下部スライド棚
５２                            コロ高さ調整部
５３                            スライド補助用コロ
５４                            ヒンジ部
５５                            底板
５５ａ                          ガイド孔
５６                            受板
５６ａ                          突起
５６ｂ                          コロ
５７                            支持バネ
５８                            スイッチボタン
５９                            ケーシング
６０                            バネ
６１                            スライドストッパ
６３                            溝
６４                            レリーズワイヤ
６４ａ                          ワイヤスライド
６６                            開口部
７１                            解除スイッチ
７２                            第２ラッチ
７３                            ケーシング
７４                            バネ
７５                            係合凹部
７６                            係止バー
８１                            第１係止片
８２                            第１スライド係合孔
８３                            第２係止片
８４                            第２スライド係合孔
８５                            開口部
【図１】
0005873046.tif 000002
【図２】
0005873046.tif 000003
【図３】
0005873046.tif 000004
【図４】
0005873046.tif 000005
【図５】
0005873046.tif 000006
【図６】
0005873046.tif 000007
【図７】
0005873046.tif 000008
【図８】
0005873046.tif 000009
【図９】
0005873046.tif 000010
【図１０】
0005873046.tif 000011
【図１１】
0005873046.tif 000012
【図１２】
0005873046.tif 000013
【図１３】
0005873046.tif 000014
【図１４】
0005873046.tif 000015
【図１５】
0005873046.tif 000016
【図１６】
0005873046.tif 000017
【図１７】
0005873046.tif 000018
【図１８】
0005873046.tif 000019
【図１９】
0005873046.tif 000020
【図２０】
0005873046.tif 000021